【事件の表示】
　平成１１年特許願第２８７５４８号「パチンコ機」拒絶査定不服審判事件〔平成１３年　４月１７日出願公開、特開２００１−１０４５９６〕について、次のとおり審決する。
【結　論】
　本件審判の請求は、成り立たない。
【理　由】
【１】手続の経緯及び本願発明 
　本願は平成１１年１０月８日の出願であって、平成１３年１１月１５日付けで拒絶理由が通知され、これに対し平成１４年１月１６日付けで手続補正され、平成１４年４月１６日付けで拒絶査定がなされ、これに対し平成１４年５月２３日付けで拒絶査定に対する審判請求がなされ、同年６月２１日付けで手続補正がなされたものである。
　　　　
【２】平成１４年６月２１日付けの手続補正についての補正の却下の決定
［補正の却下の決定の結論］
　平成１４年６月２１日付けの手続補正を却下する。
［理由］
１．補正後の本願発明
　平成１４年６月２１日付けの手続補正により、補正された特許請求の範囲の請求項１の発明（以下、この補正を「本願補正発明」という。）は、以下のとおりである。
「【請求項１】遊技領域内に設けられた第１の入賞口への遊技球の入賞に対
応して第１数の賞球を払い出し、第２の入賞口への遊技球の入賞に対して第２数の賞球を払い出す入賞口に対応させて複数種類の賞球数が設定されたパチンコ機において、
　前記第１の入賞口及び第２の入賞口に各々に入賞球検出スイッチを組み込み、当該第１の入賞口に各々設けられた入賞球検出スイッチにより入賞球が検出された際に、賞球払出装置にて第１数の賞球を払い出し、
　当該第２の入賞口に設けられた入賞球検出スイッチにより入賞球が検出された際に、前記賞球払出装置にて第２数の賞球を払い出し、
　前記第１の入賞口又は前記第２の入賞口に入賞し、前記入賞球検出スイッチにて検出された入賞球を遊技盤裏面に取り付けた集合樋にて流下させ、
前記第１の入賞口又は前記第２の入賞口に入賞せずアウト口から排出されたアウト球を前記集合樋に合流させ、裏機構板に形成した前記集合樋に接続する入賞球・アウト球排出共用通路を介してパチンコ機外へ排出させることを特徴とするパチンコ機。」
　　　
２．補正の適否の検討
　前記本願補正発明は、平成１４年１月１６日付けの手続補正で補正された明細書の特許請求の範囲の【請求項１】の「パチンコ機において」なる記載事項を「入賞口に対応させて複数種類の賞球数が設定されたパチンコ機において」に限定的に特定するものであって、特許法第１７条の２第４項第２号の特許請求の範囲の減縮を目的とするものに該当する。
　そこで、本願補正発明が、特許出願の際独立して特許を受けることができるものであるか（平成１５年改正前特許法第１７条の２第５項の規定において読み替えて準用する同法第１２６条第４項の規定に適合するか）について以下に検討する。
　　　
３．引用例に記載の発明
（１）原査定の拒絶の理由に引用され、本願の出願日前に頒布された特公平４−５００３４号公報（以下、「引用例１」という。）には、図面とともに、以下の技術事項が記載されている。
（ア）「 第１の入賞価値を有する第１入賞口、第２の入賞価値を有する第２入賞口及びアウト口が形成された遊技盤と、
  上記遊技盤の裏側に装着されて、賞球の流下経路を構成する裏機構盤と、
  上記遊技盤の裏面に配設されて、上記第１入賞口と第２入賞口とへ入賞した入賞球を集合する集合樋と、
  上記第１入賞口に入賞した入賞球を検出する第１球検出手段及び上記第２入賞口へ入賞した入賞球を検出する第２球検出手段と、
  上記第１球検出手段からの検出信号または上記第２球検出手段からの検出信号に基づいて、各入賞価値に対応する相互に数量の異なる賞球を排出する賞球排出装置とを備え、
  上記裏機構盤は、・・上記第１球検出手段と第２球検出手段とによりそれぞれ検出された各入賞球を案内する排出樋を設けて、該排出樋には、アウト球が流下する上記アウト口の出口を臨ませて単一の排出樋により入賞球とアウト球とを合流流下せしめて機外に流出させてなり、
  上記集合樋は、その背面において、上記遊技盤の裏面側と上記裏機構盤の前面側との間に配置されて、上記第１入賞口と第２入賞口とをカバーする大きさに構成され、第１入賞口に入賞した入賞球を誘導する第１入賞球経路と第２入賞口に入賞した入賞球を誘導する第２入賞球経路とを仕切壁を設けて、両入賞球経路を同一方向に下り傾斜させた状態で一体形成し、
  更に、上記第１入賞球経路には上記第１球検出手段を、上記第２入賞球経路には上記第２入賞球検出手段を各々設けてなり、
  上記遊技盤の裏面側に裏機構盤と集合樋とを配置した際には、上記貯留樋と傾斜樋と賞球樋と賞球排出装置とで囲まれる内側の上記集合樋背面側に未形成領域が形成されるようにしたことを特徴とするパチンコ機。」（特許請求の範囲）
（イ）「パチンコ機に装着させる裏機構盤（第１図中符号Ａ）の裏面側には、第１図に示すように、・・遊技者が打つた打球が入賞して遊技盤裏面側に導かれた場合に受け入れる集合樋３等とを有する。この集合樋３は後述する複数の入賞口をカバーする大きさに構成され、本実施例では、上記集合樋３の内部を仕切壁としての仕切部４…で三区分して第１入賞球経路としての第１入賞部５、第２入賞球経路としての第２入賞部６、第３入賞球経路としての第３入賞部７を構成し、第１〜第３入賞部５，６，７を同一方向に下り傾斜させた状態で一体形成してある。
  そして、上記第１入賞部５は遊技盤の表面上方に位置するとともに第１の入賞価値を有する第１入賞口５′に連通し、前記第２入賞部６は遊技盤の表面のほゞ中央に位置するとともに第２の入賞価値を有する例えば大型の中央入賞装置等の電気的入賞装置（図示せず）を含む第２入賞口６′に連通し、前記第３入賞部７は遊技盤表面の他の部位に位置するとともに第３の入賞価値を有する第３入賞口７′…に連通する。そして、第１入賞口５′に入つた入賞球は第１入賞部５へ、第２入賞口６′に入つた入賞球は第２入賞部６へ、いずれかの第３入賞口７′に入つた入賞球は第３入賞部７へ夫々導かれて、各入賞部５〜７の底面傾斜、即ち仕切部４…の傾斜により流下する。この流下端には、各入賞部５〜７から入賞した入賞球を、対応する球出口へ夫々誘導する入賞球経路が延在する。尚、上記した集合樋３と入賞球経路は一体形成してある。」（第４頁第７欄第５〜４１行）
（ウ）「上記各入賞部５〜７に対応する各球出口には、当該球出口から流下する入賞球を検出処理する検出手段を夫々臨ませる。即ち第１球出口から流下する入賞球を検出処理する第１検出手段としての第１検出部８、第２球出口から流下する入賞球を検出処理する第２検出手段としての第２検出部９、同様な第３検出手段としての第３検出部１０を夫々臨ませ、各検出部８〜１０の下方には、各検出部で検出処理された入賞球をパチンコ機外へ案内する排出樋１１の傾斜上方を位置させる。
  したがつて、遊技者が弾発した打球がいずれかの入賞口５′〜７′に入ると、この入賞球は対応するいずれかの入賞部５〜７に導かれ、検出部８〜１０のいずれかで検出処理されると、排出樋１１を伝わつてパチンコ機下方に落下する。
  上記した排出樋１１の途中には、打球のアウト口１２も臨んでいるので、遊技者の打球がアウトになると、該アウト球は排出樋１１からパチンコ機下方に落下する。」（第４頁第７欄第４２行〜同頁第８欄第１６行）
（エ）「・・両電磁石４８，５３は、前記した検出手段としての第１検出部８、第２検出部９、第３検出部１０に電気的に接続する。・・第２入賞口６′に入つて集合樋３に形成した対応する第２入賞部から第２入賞球経路を通つて検出手段としての第２検出部９に導かれ、この第２検出部９が検出信号を発すると、排出用電磁石５３のみが励磁する。・・ストツパ５２と第１爪部３１との作用により、第１爪部３１からストツパ５２までの間に並ぶ賞球樋１７内の球が、第２の入賞価値として賞球排出樋１８を流下し、遊技者に賞球として与えられる。」（第６頁第１１欄第１５行〜同頁第１２欄第４行）
（オ）「・・打球が第３の入賞価値を有する第３入賞口７′に入り、集合樋３に形成した第３入賞部７及び入賞球球経路を介して検出手段としての第３検出部１０が検出信号を発すると、規制用電磁石４８と賞球用電磁石５３とが同時に励磁する。・・両電磁石４８，５３が励磁した場合には、第１爪部３１が賞球樋１７に突入しても、第２爪部４４とストツパ５２との間に並ぶ賞球樋１７内の球が賞球として遊技者に与えられる。」（第６頁第１２欄第１７〜３３行）
（カ)「遊技者の打球が第１の入賞価値を有する第１入賞口５′に入つて集合樋３に形成した第１入賞部５に導かれ、検出手段としての第１検出部８が信号を発すると、特別入賞であつて、多数の賞球を連続的に排出する。この場合は、排出用電磁石５３が１回又は複数回間歇的に励磁したり、排出用電磁石５３と規制用電磁石４８とが同時に間歇的に励磁する。排出用電磁石５３が励磁すると、前記したように第１爪部３１とストツパ５２との間に並ぶ賞球樋１７内の球が排出され、複数回だけ間歇的に励磁すれば、その複数倍だけの数の球が排出される。又、両電磁石４８，５３が同時に励磁すると、前記したように第２爪部４４とストツパ５２との間に並ぶ賞球樋１７内の球が排出され、複数回だけ間歇的に励磁すれば、その複数倍だけの数の球が排出される。」（第６頁第１２欄第４０行〜第７頁第１３欄第１２行）
　　　　
　以上の（ア）乃至（カ）の記載事項、及び第１図から、「引用例１」には、以下の発明（以下、「引用発明」という。）が記載されているものと認められる。
＜引用発明＞
「遊技盤の表面上方に位置するとともに第１の入賞価値を有する第１入賞口５´、遊技盤の表面のほぼ中央に位置するとともに第２の入賞価値を有する第２入賞口６´、遊技盤表面の他の部位に位置するとともに第３の入賞価値を有する第３入賞口７´と、パチンコ機に装着させる裏機構盤の裏面側には、打球が入賞して遊技盤裏面側に導かれた場合に受け入れる集合樋３を有するパチンコ機であって、集合樋３は複数の入賞口をカバーする大きさに構成され、内部を仕切部４で三区分して第１入賞球経路としての第１入賞部５、第２入賞球経路としての第２入賞部６、第３入賞球経路としての第３入賞部７を構成し、第１〜第３入賞部５，６，７を同一方向に下り傾斜させた状態で一体形成されており、第１入賞口５′に入つた入賞球は第１入賞部５へ、第２入賞口６′に入つた入賞球は第２入賞部６へ、いずれかの第３入賞口７′に入つた入賞球は第３入賞部７へ夫々導かれ、各入賞部５〜７から入賞した入賞球を対応する球出口へ夫々誘導され、各球出口には第１球出口から流下する入賞球を検出処理する第１検出部８、第２球出口から流下する入賞球を検出処理する第２検出部９、同様に第３検出部１０を夫々臨ませ、第１検出部８からの検出信号または第２検出部９からの検出信号に基づいて、各入賞価値に対応する相互に数量の異なる賞球を賞球排出装置で排出させ、各検出部８〜１０の下方には、各検出部で検出処理された入賞球をパチンコ機外へ案内する排出樋１１の傾斜上方を位置させ、打球がいずれかの入賞口５′〜７′に入ると、この入賞球は対応するいずれかの入賞部５〜７に導かれ、検出部８〜１０のいずれかで検出処理されると、排出樋１１を伝わつてパチンコ機下方に落下し、排出樋１１の途中には、打球のアウト口１２も臨んでおり、遊技者の打球がアウトになると、アウト球は排出樋１１からパチンコ機下方に落下するパチンコ機。」
　　
４．対比・判断
（１）本願補正発明と引用発明との対比
　本願補正発明と引用発明とを対比すると、引用発明の「パチンコ機」が本願補正発明の「パチンコ機」に相当し、以下同様に「入賞球」が「入賞球」に、「賞球排出装置」が「賞球払出装置」に、「アウト口１２」が「アウト口」に、「アウト球」が「アウト球」に、「裏機構盤」が「裏機構板」に、「パチンコ機外」が「パチンコ機外」に夫々相当している。
　また、本願明細書の記載によれば、遊技領域に設けられる「第１の入賞口」や「第２の入賞口」は、どの入賞口に対応しているか具体的に限定するものでなく、一方、引用発明の「第１入賞口５´」や「第２入賞口６´」は、引用例の上記記載事項（イ）「・・遊技盤の表面上方に位置するとともに第１の入賞価値を有する第１入賞口５′・・」、「・・遊技盤の表面のほゞ中央に位置するとともに第２の入賞価値を有する・・第２入賞口６′・・」、及び記載事項（ア）「・・各入賞価値に対応する相互に数量の異なる賞球を排出する・・」なる記載から、遊技領域内に設けられ各入賞口に対応させて複数種類の賞球数を払い出すように設定されるから、引用発明の「第１入賞口５´」、「第２入賞口６´」は本願補正発明の「第１の入賞口」、「第２の入賞口」に対応している。そうすると、本願補正発明と同様に「遊技領域内に設けられた第１の入賞口への遊技球の入賞に対応して第１数の賞球を払い出し、第２の入賞口への遊技球の入賞に対して第２数の賞球を払い出す入賞口に対応させて複数種類の賞球数が設定され」るものといえる。
　そして、引用発明の「第１検出部８」や「第２検出部９」は、上記記載事項（イ）「第１入賞口５′に入つた入賞球は第１入賞部５へ、第２入賞口６′に入つた入賞球は第２入賞部６・・へ夫々導かれ・・対応する球出口へ夫々誘導する・・」、及び記載事項（ウ）「・・各入賞部５〜７に対応する各球出口には、当該球出口から流下する入賞球を検出処理する検出手段を夫々臨ませる。即ち・・第１検出部８、・・第２検出部９・・を夫々臨ませ、・・」なる記載から、「第１検出部８」と「第２検出部９」は、第１の入賞口５´及び第２の入賞口６´の各々に対応させて設けられており、記載事項（ア）「第１球検出手段からの検出信号または上記第２球検出手段からの検出信号に基づいて、各入賞価値に対応する相互に数量の異なる賞球を排出する賞球払出装置とを備え」なる記載から、各検出手段により入賞球が検出された際に賞球払出装置より各数の賞球が払い出されることから、引用発明の「第１検出部８」と「第２検出部９」は、本願補正発明と「第１の入賞口及び第２の入賞口の各々に対応させて入賞球検出スイッチを組み込み、第１の入賞口に対応させて設けられた入賞球検出スイッチにより入賞球が検出された際に、賞球払出装置にて第１数の賞球を払い出し、第２の入賞口に対応させて設けられた入賞球検出スイッチにより入賞球が検出された際に、賞球払出装置にて第２数の賞球を払い出」す点で共通するといえる。
　さらに、引用例の上記記載事項（ウ）「各検出部８〜１０の下方には、各検出部で検出処理された入賞球をパチンコ機外へ案内する排出樋１１の傾斜上方を位置させる。・・検出部８〜１０のいずれかで検出処理されると、排出樋１１を伝わつてパチンコ機下方に落下する。・・排出樋１１の途中には、打球のアウト口１２も臨んでいるので、遊技者の打球がアウトになると、該アウト球は排出樋１１からパチンコ機下方に落下する。」なる記載、及び第１図からみて、各検出部にて検出された入賞球と入賞せずにアウト口１２から排出されたアウト球を裏機構板に形成した集合樋３に接続する排出樋１１でパチンコ機外へ排出させるから、引用発明の「排出樋１１」と本願補正発明の「入賞球・アウト球排出共用通路」は「第１の入賞口又は第２の入賞口に入賞し、入賞球検出スイッチにて検出された入賞球と、第１の入賞口又は第２の入賞口に入賞せずアウト口から排出されたアウト球を、裏機構板に形成した集合樋に接続する入賞球・アウト球排出共用通路を介してパチンコ機外へ排出させる」点で共通する構成を備えたものといえる。
　　　　　
してみると、引用発明と本願補正発明とは
　　　　　
「遊技領域内に設けられた第１の入賞口への遊技球の入賞に対応して第１数の賞球を払い出し、第２の入賞口への遊技球の入賞に対して第２数の賞球を払い出す入賞口に対応させて複数種類の賞球数が設定されたパチンコ機において、
　前記第１の入賞口及び第２の入賞口の各々に対応させて入賞球検出スイッチを組み込み、当該第１の入賞口に対応させて設けられた入賞球検出スイッチにより入賞球が検出された際に、賞球払出装置にて第１数の賞球を払い出し、
　当該第２の入賞口に対応させて設けられた入賞球検出スイッチにより入賞球が検出された際に、前記賞球払出装置にて第２数の賞球を払い出し、
　前記第１の入賞口又は前記第２の入賞口に入賞し、前記入賞球検出スイッチにて検出された入賞球と、前記第１の入賞口又は前記第２の入賞口に入賞せずアウト口から排出されたアウト球を、裏機構板に形成した前記集合樋に接続する入賞球・アウト球排出共用通路を介してパチンコ機外へ排出させるパチンコ機。」
　　　　　
　である点で一致し、以下の点で相違する。
　　　　　
＜相違点１＞
　入賞球を検出して複数種類の賞球数が払い出される入賞球検出スイッチが、本願補正発明は第１の入賞口及び第２の入賞口の各々に組み込まれるのに対し、引用発明は第１の入賞口及び第２の入賞口の各入賞部に対応する各球出口に望ませて設けられている点。
＜相違点２＞　　　　　
  集合樋が、本願補正発明は遊技盤裏面に取り付けられ、入賞球とアウト球を該集合樋で合流させているのに対し、引用発明は集合樋が遊技盤裏面に取り付けられているか否か定かでなく、入賞球とアウト球は裏機構板に形成された入賞球・アウト球排出共用通路で合流させている点。
　　　　
５．相違点についての検討
＜相違点１について＞
　パチンコ分野において、入賞球を検出して複数種類の賞球数が払い出される入賞球検出スイッチを各入賞口に組み込むことは、入賞球検出スイッチの組込に広く採用される周知の技術（例えば、特開平１０−３１４４０４号公報、段落【００４６】、特許第２９０８８３３号公報、第２頁第４欄第３２〜３４行、特許第２９４４０７２号公報、段落【０００７】参照）であり、また、上記周知技術により本願補正発明と同様に排出球の流下経路や賞球払い出しの制御が簡易化されることも自明（例えば、特開平１０−３１４４０４号公報、段落【００６５】参照）である。
　そうすると、引用発明と上記周知技術はともにパチンコ分野の入賞球検出スイッチの組込で技術が共通するから、引用発明の入賞球検出スイッチに代えて上記周知技術を採用し、第１の入賞口及び第２の入賞口に入賞球検出スイッチを各々組み込み複数種類の賞球数を払い出させること、すなわち本願補正発明の相違点１を構成することは、当業者が容易に想到できたものといえる。　　　　　　　
＜相違点２について＞
　パチンコ分野において、集合樋を遊技盤裏面に形成し、該集合樋で入賞球とアウト球を合流させることは、従来周知の技術（例えば、特開平２−２９９６８０号公報、第２頁右下欄第１７行〜第３頁左上欄第７行、特開平３−１８３９２号公報、第２頁右上欄第１７行〜同頁左下欄第７行参照）であり、集合樋を遊技盤に直接取り付けることも広く行われる周知の技術（例えば、特開平７−２５５９２２号公報、段落【００１８】参照）である。　
　そうすると、引用発明と上記周知技術はともにパチンコ球を集める集合樋に関する技術で共通するから、引用発明の集合樋に上記周知技術を採用し、集合樋を遊技盤裏面に取り付け、入賞球とアウト球を合流させること、すなわち本願補正発明の相違点２を構成することは、当業者が容易に想到できたものといえる。
　　　　
６．作用効果・判断
  そして、本願補正発明における作用効果は、引用発明及び周知技術に基づいて当業者が当然予測できるものである。
　したがって、本願補正発明は、引用発明及び周知技術に基づいて当業者が容易に発明をすることができたものであるから、特許法第２９条第２項の規定により特許を受けることができない。
　　　　　
７．むすび
　以上のとおり、本願補正発明は、平成１５年改正前特許法第１７条の２第５項の規定において読み替えて準用する同法第１２６条第４項の規定に違反するものであり、特許法第１５９条第１項の規定において読み替えて準用する同法第５３条第１項の規定によって却下されるべきものである。
　よって、上記「補正の却下の決定の結論」のとおり決定する。
　　　　
【３】本願発明について
１．本願発明
　平成１４年６月２１日付けの手続補正は上記のとおり却下されたので、前記【１】手続きの経緯に従い、本願発明は平成１４年１月１６日付けの手続補正書の明細書及び図面の記載からみて、本願の特許請求の範囲の請求項１に特定される以下のとおりのものである。
「【請求項１】　遊技領域内に設けられた第１の入賞口への遊技球の入賞に対応して第１数の賞球を払い出し、第２の入賞口への遊技球の入賞に対して第２数の賞球を払い出すパチンコ機において、
　前記第１の入賞口及び第２の入賞口に各々に入賞球検出スイッチを設け、
　当該第１の入賞口に各々設けられた入賞球検出スイッチにより入賞球が検出された際に、賞球払出装置にて第１数の賞球を払い出し、
当該第２の入賞口に設けられた入賞球検出スイッチにより入賞球が検出された際に、前記賞球払出装置にて第２数の賞球を払い出し、
　前記第１の入賞口又は前記第２の入賞口に入賞し、前記入賞球検出スイッチにて検出された入賞球を遊技盤裏面に取り付けた集合樋にて流下させ、
前記第１の入賞口又は前記第２の入賞口に入賞せずアウト口から排出されたアウト球を前記集合樋に合流させ、裏機構板に形成した前記集合樋に接続する入賞球・アウト球排出共用通路を介してパチンコ機外へ排出させることを特徴とするパチンコ機。」
　　　　
２．引用発明
　原査定の拒絶の理由に引用された引用例及びその記載事項は、前記【２】３．に記載したとおりである。
　　　　
３．対比・判断
　本願発明は、本願補正発明から前記【２】２．で検討した限定事項を省いたものである。
　そうすると、本願発明の構成要件を全て含み、さらに、上記限定事項を付加したものに相当する本願補正発明が、前記【２】５．で検討したとおり、引用発明及び周知技術に基づいて、当業者が容易に発明をすることができたものであるから、本願発明も同様の理由により、当業者が容易に発明をすることができたものである。
　　　　
４．むすび
　以上のとおり、本願発明は、引用発明及び周知技術に基づいて、当業者が容易に発明をすることができたものであるから、特許法第２９条第２項の規定により特許を受けることができないものであり、本願は拒絶すべきものである。
　よって、結論のとおり審決する。